【手続補正書】
【提出日】平成18年5月26日(2006.5.26)
【手続補正１】
【補正対象書類名】特許請求の範囲
【補正対象項目名】全文
【補正方法】変更
【補正の内容】
【特許請求の範囲】
【請求項１】
バーコード規格が規定する文字列を入力させる入力手段と、入力された文字列等を表示する表示手段と、入力された文字列と操作者が直接入力しないチェックデジットとでなるバーコードデータを作成するバーコードデータ作成手段とを有するバーコードデータ作成装置において、
入力された文字列を上記表示手段の第１の表示領域で表示させると共に、上記バーコードデータ作成手段が作成したバーコードデータに含まれるチェックデジットの値を、上記表示手段の第２の表示領域で表示させる表示制御手段を有することを特徴とするバーコードデータ作成システム。
【請求項２】
バーコード規格が規定する文字列を入力させる入力手段と、入力された文字列等を表示する表示手段と、入力された文字列と操作者が直接入力しない特殊桁文字とでなるバーコードデータを作成するバーコードデータ作成手段とを有するバーコードデータ作成装置において、
入力された文字列及びカーソルを上記表示手段の第１の表示領域で表示させると共に、上記バーコードデータ作成手段が作成したバーコードデータに含まれる特殊桁文字に関する情報を、上記表示手段の第２の表示領域で表示させる表示制御手段と、
上記カーソルの移動指令を取込んでカーソルを移動させるカーソル移動手段とを有し、
上記表示制御手段は、上記第１の表示領域における上記カーソルの位置が上記特殊桁文字の位置になったときと他の文字の位置になったときとで、上記第２の表示領域で表示されている特殊桁文字に関する情報を異なる形態で表示させることを特徴とするバーコードデータ作成システム。
【請求項３】
上記表示制御手段は、上記第１の表示領域には、入力文字列とカーソルのみを表示させることを特徴とする請求項２に記載のバーコードデータ作成システム。
【請求項４】
特殊桁文字がチェックデジットであることを特徴とする請求項２又は３に記載のバーコードデータ作成システム。
【請求項５】
バーコード規格が規定する文字列を入力させる入力工程と、入力された文字列と操作者が直接入力しないチェックデジットとでなるバーコードデータを作成するバーコードデータ作成工程とを含むバーコードデータ作成方法において、
入力された文字列を表示手段の第１の表示領域で表示させると共に、上記バーコードデータ作成手段が作成したバーコードデータに含まれるチェックデジットの値を、上記表示手段の第２の表示領域で表示させる表示制御工程を含むことを特徴とするバーコードデータ作成方法。
【請求項６】
バーコード規格が規定する文字列を入力させる入力工程と、入力された文字列と操作者が直接入力しない特殊桁文字とでなるバーコードデータを作成するバーコードデータ作成工程とを含むバーコードデータ作成方法において、
入力された文字列及びカーソルを表示手段の第１の表示領域で表示させると共に、上記バーコードデータ作成工程で作成されたバーコードデータに含まれる特殊桁文字に関する情報を、上記表示手段の第２の表示領域で表示させる表示制御工程と、
上記カーソルの移動指令を取込んでカーソルを移動させるカーソル移動工程とを含み、
上記表示制御工程は、上記第１の表示領域における上記カーソルの位置が上記特殊桁文字の位置になったときと他の文字の位置になったときとで、上記第２の表示領域で表示されている特殊桁文字に関する情報を異なる形態で表示させることを特徴とするバーコードデータ作成方法。
【請求項７】
上記表示制御工程は、上記第１の表示領域には、入力文字列とカーソルのみを表示させることを特徴とする請求項５又は６に記載のバーコードデータ作成方法。
【請求項８】
特殊桁文字がチェックデジットであることを特徴とする請求項５又は６に記載のバーコードデータ作成方法。
【請求項９】
バーコードデータを作成させるためのバーコードデータ作成プログラムであって、
コンピュータを、
バーコード規格が規定する文字列を入力させる入力手段と、
入力された文字列等を表示する表示手段と、
入力された文字列と操作者が直接入力しないチェックデジットとでなるバーコードデータを作成するバーコードデータ作成手段と、
入力された文字列を上記表示手段の第１の表示領域で表示させると共に、上記バーコードデータ作成手段が作成したバーコードデータに含まれるチェックデジットの値を、上記表示手段の第２の表示領域で表示させる表示制御手段と
して機能させることを特徴とするバーコードデータ作成プログラム。
【請求項１０】
バーコードデータを作成させるためのバーコードデータ作成プログラムであって、
コンピュータを、
バーコード規格が規定する文字列を入力させる入力手段と、
入力された文字列等を表示する表示手段と、
入力された文字列と操作者が直接入力しない特殊桁文字とでなるバーコードデータを作成するバーコードデータ作成手段と、
カーソルの移動指令を取込んでカーソルを移動させるカーソル移動手段と、
入力された文字列及び上記カーソルを上記表示手段の第１の表示領域で表示させると共に、上記バーコードデータ作成手段が作成したバーコードデータに含まれる特殊桁文字に関する情報を、上記表示手段の第２の表示領域で表示させ、上記第１の表示領域における上記カーソルの位置が上記特殊桁文字の位置になったときと他の文字の位置になったときとで、上記第２の表示領域で表示されている特殊桁文字に関する情報を異なる形態で表示させる表示制御手段と
して機能させることを特徴とするバーコードデータ作成プログラム。
【手続補正２】
【補正対象書類名】明細書
【補正対象項目名】００１２
【補正方法】変更
【補正の内容】
【００１２】
第５の本発明のバーコードデータ作成プログラムは、バーコードデータを作成させるためのものであって、コンピュータを、バーコード規格が規定する文字列を入力させる入力手段と、入力された文字列等を表示する表示手段と、入力された文字列と操作者が直接入力しないチェックデジットとでなるバーコードデータを作成するバーコードデータ作成手段と、入力された文字列を上記表示手段の第１の表示領域で表示させると共に、上記バーコードデータ作成手段が作成したバーコードデータに含まれるチェックデジットの値を、上記表示手段の第２の表示領域で表示させる表示制御手段として機能させることを特徴とする。
第６の本発明のバーコードデータ作成プログラムは、バーコードデータを作成させるためのものであって、コンピュータを、バーコード規格が規定する文字列を入力させる入力手段と、入力された文字列等を表示する表示手段と、入力された文字列と操作者が直接入力しない特殊桁文字とでなるバーコードデータを作成するバーコードデータ作成手段と、カーソルの移動指令を取込んでカーソルを移動させるカーソル移動手段と、入力された文字列及び上記カーソルを上記表示手段の第１の表示領域で表示させると共に、上記バーコードデータ作成手段が作成したバーコードデータに含まれる特殊桁文字に関する情報を、上記表示手段の第２の表示領域で表示させ、上記第１の表示領域における上記カーソルの位置が上記特殊桁文字の位置になったときと他の文字の位置になったときとで、上記第２の表示領域で表示されている特殊桁文字に関する情報を異なる形態で表示させる表示制御手段として機能させることを特徴とする。
【手続補正３】
【補正対象書類名】明細書
【補正対象項目名】００１３
【補正方法】変更
【補正の内容】
【００１３】
第１〜第６の本発明によれば、操作者が直接入力しない特殊桁文字を、入力文字列とは異なる表示領域で表示するようにしたので、特殊桁文字を入力文字に、入力文字を特殊桁文字にというような誤解を利用者に与えることを未然に防止することができる。